(57)【特許請求の範囲】
【請求項１】
撮影レンズを介して撮像素子に入射する光量を調節する絞り手段と、
前記撮像素子における電荷蓄積時間を制御する電子シャッタと、
前記撮像素子に入射する光量を測定する測光手段と、
前記撮像素子を介して得られる画像信号に基づいて被写体像の表示が可能なモニタと、
前記モニタをＯＮ／ＯＦＦさせるモニタ表示スイッチと、
前記モニタがＯＦＦでも被写体を目視できる光学ビューファインダと、
ストロボ光を発光するストロボ発光手段と、
前記測光手段によって測定した測光値に基づいて前記絞り手段及び電子シャッタを制御する露出制御手段であって、前記モニタがＯＮされて動画の被写体像を表示し、レリーズボタンが操作されていない時には、前記絞り手段を予め設定した絞り値に固定するとともに前記電子シャッタのみを制御して露出制御し、前記レリーズボタンが操作されると、前記絞り手段を適正絞り値に制御するとともに前記電子シャッタを制御して露出制御し、前記ストロボ発光手段によるストロボ光の発光時には前記絞り手段を開放絞りに制御する露出制御手段と、
マクロモードを選択する手段と、を備え、
前記マクロモードが選択されると、前記モニタをＯＮさせることを特徴とする電子スチルカメラ。
【請求項２】
撮影レンズを介して撮像素子に入射する光量を調節する絞り手段と、
前記撮像素子における電荷蓄積時間を制御する電子シャッタと、
前記撮像素子に入射する光量を測定する測光手段と、
前記撮像素子を介して得られる画像信号に基づいて被写体像の表示が可能なモニタと、
ストロボ光を発光するストロボ発光手段と、
前記測光手段によって測定した測光値に基づいて前記絞り手段及び電子シャッタを制御する露出制御手段であって、前記モニタがＯＮされて動画の被写体像を表示し、レリーズボタンが操作されていない時には、前記絞り手段を予め設定した絞り値に固定するとともに前記電子シャッタのみを制御して露出制御し、前記レリーズボタンが操作されると、前記絞り手段を適正絞り値に制御するとともに前記電子シャッタを制御して露出制御し、前記ストロボ発光手段によるストロボ光の発光時には前記絞り手段を開放絞りに制御する露出制御手段と、
マクロモードを選択する手段と、を備え、
前記露出制御手段は、前記マクロモードが選択され、かつ前記ストロボ発光手段によるストロボ光の発光時には前記絞り手段を小絞りに制御することを特徴とする前記モニタをＯＮさせることを特徴とする電子スチルカメラ。
【請求項３】
前記絞り手段は、絞り板に穿設された絞り孔を光軸上に位置させることによって前記撮像素子に入射する光量を段階的に調節する請求項１又は２の電子スチルカメラ。
【発明の詳細な説明】
【０００１】
【発明の属する技術分野】
本発明は電子スチルカメラに係り、特に光学ビューファインダと撮像手段を介して得られる画像信号に基づいて被写体像の表示が可能なモニタとを有する電子スチルカメラに関する。
【０００２】
【従来の技術】
従来の電子スチルカメラには、被写体を目視するための手段として光学ビューファインダ又は電子的ビューファインダ（ＬＣＤ，ＥＶＦ）及びその両者を備えたものがある。
光学ビューファインダにて撮影するカメラでは、消費電力を抑えるために、レリーズボタンの半押し時に撮像回路系の電源を立ち上げ、測光を開始しＡＥロックし、レリーズボタンの全押し時に記録を行うという制御がよく行われている。この際、露出制御手段として、アイリスと、撮像素子における電荷蓄積時間を制御する電子シャッタを使用するが、そのうちアイリスは制御のスピード及び精度を考慮して、複数の絞り孔が穿設されている絞り板がよく使用される。
【０００３】
【発明が解決しようとする課題】
ＬＣＤなどの電子的ファインダで被写体を観測するカメラでは、動画も電子的に表示する必要があるため、上記絞り板を使用すると絞り孔の切替え時に不自然な変化が見えてしまい、また、被写体の輝度変化に常に追従して絞り板が駆動されるため、消費電力が増加するという問題がある。
【０００４】
これに対し、絞り値を固定し、電子シャッタのみにて全露出領域をカバーしようとすると、静止画記録時にスミアなどの画質に悪影響を及ぼす現象が見えてしまうという問題がある。
一方、絞り孔を連続的に変化させる虹彩絞りを使用すると、前記した光学ビューファインダのみで撮影するようなシーケンスをとった場合、制御スピード、露出精度及び再現性の面で問題がある。
【０００５】
本発明はこのような事情に鑑みてなされたもので、被写体を動画にてモニタする際に絞りの切替えによる不自然な輝度変化がなく、かつ消費電力を極力抑え、静止画撮影時にはスミアなどのない良好な画像を記録することができる電子スチルカメラを提供することを目的とする。
【０００６】
前記目的を達成するために、本願請求項１に係る発明は、撮影レンズを介して撮像素子に入射する光量を調節する絞り手段と、前記撮像素子における電荷蓄積時間を制御する電子シャッタと、前記撮像素子に入射する光量を測定する測光手段と、前記撮像素子を介して得られる画像信号に基づいて被写体像の表示が可能なモニタと、前記モニタをＯＮ／ＯＦＦさせるモニタ表示スイッチと、前記モニタがＯＦＦでも被写体を目視できる光学ビューファインダと、ストロボ光を発光するストロボ発光手段と、前記測光手段によって測定した測光値に基づいて前記絞り手段及び電子シャッタを制御する露出制御手段であって、前記モニタがＯＮされて動画の被写体像を表示し、レリーズボタンが操作されていない時には、前記絞り手段を予め設定した絞り値に固定するとともに前記電子シャッタのみを制御して露出制御し、前記レリーズボタンが操作されると、前記絞り手段を適正絞り値に制御するとともに前記電子シャッタを制御して露出制御し、前記ストロボ発光手段によるストロボ光の発光時には前記絞り手段を開放絞りに制御する露出制御手段と、マクロモードを選択する手段と、を備え、前記マクロモードが選択されると、前記モニタをＯＮさせることを特徴としている。
即ち、モニタで動画の被写体像を表示する際には、絞りを固定し、これにより絞りの切替えによる不自然な輝度変化がなく、かつ消費電力を抑えるようにし、レリーズボタンが操作されると、絞り手段を適正絞り値に制御するとともに電子シャッタを制御し、スミアなどのない良好な画像を記録できるようにしている。
また、前記モニタがＯＦＦでも被写体を目視できる光学ビューファインダを設けることにより、モニタをＯＦＦした状態でも撮影が可能となり、消費電力を抑えることができ、更にマクロモードが選択されると、前記モニタをＯＮすることにより、マクロ撮影時に光学ビューファインダを使用することによって生じるパララックスの影響を受けないようにすることができる。
本願請求項２に係る発明は、撮影レンズを介して撮像素子に入射する光量を調節する絞り手段と、前記撮像素子における電荷蓄積時間を制御する電子シャッタと、前記撮像素子に入射する光量を測定する測光手段と、前記撮像素子を介して得られる画像信号に基づいて被写体像の表示が可能なモニタと、ストロボ光を発光するストロボ発光手段と、前記測光手段によって測定した測光値に基づいて前記絞り手段及び電子シャッタを制御する露出制御手段であって、前記モニタがＯＮされて動画の被写体像を表示し、レリーズボタンが操作されていない時には、前記絞り手段を予め設定した絞り値に固定するとともに前記電子シャッタのみを制御して露出制御し、前記レリーズボタンが操作されると、前記絞り手段を適正絞り値に制御するとともに前記電子シャッタを制御して露出制御し、前記ストロボ発光手段によるストロボ光の発光時には前記絞り手段を開放絞りに制御する露出制御手段と、マクロモードを選択する手段と、を備え、前記露出制御手段は、前記マクロモードが選択され、かつ前記ストロボ発光手段によるストロボ光の発光時には前記絞り手段を小絞りに制御することを特徴としている。
【０００７】
また、本願請求項３に示すように、絞り板に穿設された絞り孔を光軸上に位置させることによって撮像素子に入射する光量を段階的に調節する絞り手段を使用することにより、制御スピード、露出精度及び再現性の面で良好な露出制御が可能になる。
【０００８】
【発明の実施の形態】
以下添付図面に従って本発明に係る電子スチルカメラの好ましい実施の形態について詳説する。
図１は本発明に係る電子スチルカメラの実施の形態を示す斜視図である。
同図に示すように、この電子スチルカメラのフロントキャビ１０、リアキャビ１２は、図１上で右側部にレンズ／ファインダユニット部が収納できるように形成されており、フロントキャビ１０、リアキャビ１２の左側部は、グリップ部が形成されるとともに、メモリカード（スマートメディア）１４が着脱可能に形成されている。
【０００９】
また、フロントキャビ１０には、レリーズボタン１６、ファインダ窓１８、調光センサやセルフＬＥＤ用の窓２０、ストロボカバー２２等が配設され、リアキャビ１２にはパワースイッチ２４、モードダイヤル２６、液晶モニタ２８等が配設されている。尚、２９はジャックカバーである。
図２は上記電子スチルカメラの内部構造を示すブロック図である。
【００１０】
この電子スチルカメラは、レンズ／ファインダ部３０、ＣＣＤ撮像部４０、メイン処理部５０、記録メディア／ＬＣＤ制御部７０、スロトボ装置８０、スイッチ部８５、ジャック部９０、及び電源部９７から構成されている。
このレンズ／ファインダ部３０は、撮影レンズ３２、光学ビューファインダ３４、絞り装置（図示せず）と、これらの駆動手段とから構成されている。尚、撮影レンズ３２及び光学ビューファインダ３４は、それぞれ１つのズームモータからの駆動力によってテレ／ワイドの切り換えが同時に行われ、また、絞り装置は、絞り孔が穿設された絞り板を移動させることによって、開放絞り（Ｆ２．４）と小絞り（Ｆ６．７）の２段階に絞りを切り換えることができるようになっている。更に、フォーカスモータによって撮影レンズ３２のフォーカスレンズが移動できるようになっている。
【００１１】
ＣＣＤ撮像部４０は、固体撮像素子（ＣＣＤ）４２と、ＣＣＤ駆動回路４４とを含み、撮影レンズ３２及び絞り装置を介してＣＣＤ４２の受光面に結像された被写体光は、各センサで光の入射光量に応じた量の信号電荷に変換される。このようにして蓄積された信号電荷は、ＣＣＤ駆動回路４４から加えられるリードゲートパルスによってシフトレジスタに読み出され、レジスタ転送パルスによって信号電荷に応じた電圧信号（画像信号）として順次読み出される。尚、ＣＣＤ４２には、シャッタゲートを介してシャッタドレインが設けられており、シャッタゲートをシャッタゲートパルスによって駆動することにより、蓄積した信号電荷をシャッタドレインに掃き出すことができる。即ち、このＣＣＤ４２は、シャッタゲートパルスによって各センサに蓄積される電荷の蓄積時間（シャッタ速度）を制御する、いわゆる電子シャッタ機能を有している。また、ＣＣＤ駆動回路４４は、タイミング信号発生回路５５から加えられる同期信号や電子シャッタ制御値に関連する信号に基づいて各種のパルス信号をＣＣＤ４２に出力する。
【００１２】
メイン処理部５０は、主としてＣＤＳ回路５１、デジタル信号処理回路５２、圧縮／伸長回路５３、フレームメモリ５４、タイミング信号発生回路５５、マイコン５６等から構成されている。ＣＤＳ回路５１は、ＣＤＳクランプ５１Ａ、ゲインコントロールアンプ５１Ｂ及びＡ／Ｄコンバータ５１Ｃから構成されており、ＣＣＤ４２から読み出された画像信号は、ＣＤＳクランプ５１Ａで各画素毎にサンプリングホールドされ、ゲインコントロールアンプ５１Ｂで増幅されたのち、Ａ／Ｄコンバータ５１ＣでＲ，Ｇ，Ｂの点順次のデジタル信号に変換されてデジタル信号処理回路５２に加えられる。尚、ゲインコントロールアンプ５１Ｂは、図示しない電子ボリュームによってゲインが制御される。
【００１３】
デジタル信号処理回路５２は、Ｒ，Ｇ，Ｂ信号に対してそれぞれ独自に増幅制御値を乗算する乗算回路、Ｒ，Ｇ，Ｂ信号を各色毎に積算した色積算値を求める回路、Ｒ，Ｇ，Ｂ信号から色差信号Ｂ−Ｙ，Ｒ−Ｙ，輝度信号Ｙを生成する回路、１画面分の輝度信号Ｙを積算し、その積算値（測光値）を求める測光回路等を有し、前記色積算値に基づいてＲ，Ｂ信号の増幅制御値を決定し、これによりホワイトバランス制御を行う。尚、デジタル信号処理回路５２内の測光回路は、１画面を図３（Ａ）に示すように複数のブロック毎に輝度信号Ｙを積算し、かつ各ブロック毎の積算値に対して、図３（Ｂ）に示すエリアＡ０〜Ａ４毎に重み付けをして積算し、これにより中央重点測光の測光値を得るようにしている。
【００１４】
また、デジタル信号処理回路５２は、圧縮／伸長回路５３との間で輝度信号Ｙ、クロマ信号Ｃの授受を行い、色差信号Ｂ−Ｙ，Ｒ−Ｙ，輝度信号ＹをＤ／Ａコンバータ５７に、輝度信号Ｙをオートフォーカス（ＡＦ）のＡＦ評価回路５８に出力し、更に測光値をマイコン５６に出力する。
圧縮／伸長回路５３は、フレームメモリ５４のメモリコントローラを含み、フレームメモリ５４に格納された１フレーム分の輝度信号Ｙ、クロマ信号Ｃを所定の形式で圧縮し、その圧縮した画像データを記録メディア／ＬＣＤ制御部７０の記録メディアコントローラ７２に出力し、また、記録メディアコントローラ７２からの圧縮された画像データを伸長してフレームメモリ５４に格納する。
【００１５】
ＡＦ評価回路５８は、輝度信号Ｙの高周波成分を抽出するハイパスフィルタや、１画面分の前記抽出した高周波成分を積算する積算カウンタからなり、この積算カウンタで積算された高周波積算値をＡＦ評価値としてマイコン５６に出力する。
マイコン５６は、スイッチ部８５でのスイッチ操作に基づいて各回路を統括制御し、また上記測光値に基づいて絞り装置の絞り値やＣＣＤ４０の電子シャッタ制御値を決定し、絞り／ズーム駆動回路６０を介して絞り装置を制御するとともに、電子シャッタ制御値に基づいてタイミング信号発生回路５５、ＣＣＤ駆動回路４４を介してシャッタゲートパルスをＣＣＤ４２に加え、ＣＣＤ４２での電荷蓄積時間を制御する。また、マイコン５６は、ＡＦ評価回路５８から加えられるＡＦ評価値に基づいて該ＡＦ評価値が最大になるようにＡＦ駆動回路６１を介してフォーカスレンズを移動させ、焦点合わせを行う。尚、フォーカスレンズが合焦位置にあるときに、画像信号中の高周波成分は最も多くなるため、ＡＦ評価値は最大になる。
【００１６】
一方、デジタル信号処理回路５２からＤ／Ａコンバータ５７を介してアナログ信号に変換された色差信号Ｂ−Ｙ，Ｒ−Ｙ，輝度信号Ｙは、ローパスフィルタ６２を介してミックス回路６３に加えられる。ミックス回路６３の他の入力には、キャラクタジェネレータ６４から適宜の文字情報等が加えられるようになっており、ミックス回路６３は、これらの信号を混合してエンコーダ６５及び記録メディア／ＬＣＤ制御部７０のＬＣＤ駆動回路７４に出力する。
【００１７】
エンコーダ６５は、入力する色差信号Ｂ−Ｙ，Ｒ−Ｙ，輝度信号Ｙに基づいて例えばＮＴＳＣ方式のカラー複合映像信号を生成し、これをジャック部９０のビデオ出力端子９６に出力する。また、ＬＣＤ駆動回路７４は、入力する色差信号Ｂ−Ｙ，Ｒ−Ｙ，輝度信号Ｙに基づいて液晶モニタ２８を駆動し、モニタ画面に画像を表示させる。
【００１８】
記録メディア／ＬＣＤ制御部７０の記録メディアコントローラ７２は、前記圧縮／伸長回路５３によって圧縮された画像データをソケット７６に装着されたメモリカード１４に記録し、また、メモリカード１４に記録された画像データを読み出して圧縮／伸長回路５３に出力する。
スロトボ装置８０は、例えば低輝度自動発光可能なオートストロボ装置であり、主としてストロボ制御回路８１、コンデンサ８２、放電管８３、調光センサから構成されている。そして、被写体輝度が所定の輝度以下の場合には、ストロボ制御回路８１は、露出時に放電管８３をストロボ発光させるためにトリガー信号を出力し、コンデンサ８２に蓄えた電気エネルギを放電管８３に供給する。また、ストロボ制御回路８１は、被写体からの反射光を受光する調光センサ８４での受光量が所定量に達すると、放電管８３への電気エネルギを遮断し、ストロボ発光を停止させる。尚、このストロボ装置８０は、低輝度時に限らず、強制発光ボタンがＯＮされた場合にも発光できる。
【００１９】
スイッチ部８５には、前述したレリーズボタン１６、パワースイッチ２４、モードダイヤル２６の他に、テレ／ワイドのズームスイッチ８６、＋／−キー、実行キー８７、モニタ表示スイッチ８８、図示しないマクロモードボタン等が設けられている。尚、レリーズボタン１６は、レリーズボタン１６の半押しでＯＮするスイッチＳ１と、全押しでＯＮするスイッチＳ２とを有している。また、モードダイヤル２６は、撮影、再生、消去、セルフタイマー等を選択することができ、このモードダイヤル２６によってマクロモードを選択できるようにしてもよい。更に、モニタ表示スイッチ８８は、液晶モニタ２８をＯＮ／ＯＦＦするためのスイッチである。
【００２０】
ジャック部９０には、シャッタ音や警告音を発生するブザー９１、ＲＳ２３２Ｃインターフェース９２及びそのシリアル端子９３、日付バックアップ用のキャパシタ９４、ＡＣアダプタ用の電源入力端子９５、及びビデオ出力端子９６が設けられている。
電源部９７は、ＤＣ／ＤＣコンバータを含み、前記ジャック部９０の電源入力端子９５又はバッテリー９８から電源が供給されており、カメラ内の各回路にそれぞれ適宜の電圧の電源を供給する。
【００２１】
次に、本発明に係る電子スチルカメラの露出制御について説明する。
まず、パワースイッチ２４がＯＮされると、各回路に電源が供給され、カメラの動作が可能になるが、パワースイッチ２４のＯＮ時点では、直ちに撮像回路系に電源が供給されず、これにより消費電力を抑制している。撮像回路系に電源が供給されるのは、レリーズボタン１６が操作されたとき、モニタ表示スイッチ８８がＯＮされたとき、及びマクロモードボタンがＯＮされているときであり、モニタ表示スイッチ８８又はマクロモードボタンがＯＮされると、液晶モニタ２８がＯＮされて被写体像（動画）が表示される。尚、マクロモードボタンのＯＮ時に液晶モニタ２８をＯＮにする理由は、マクロ撮影時に光学ビューファインダ３４を使用することによって生じるパララックスの影響を受けないようにするためである。
【００２２】
図４は本発明に係る露出制御方法を示すＡＥプログラム線図である。
同図に示すように、液晶モニタ２８がＯＮ時（動画表示時）には、絞り装置は開放絞り（Ｆ２．４）で固定し、電子シャッタによるシャッタ速度（電荷蓄積時間）のみを制御する。即ち、Ｅｖ値が１１．５を越えても点線で示すように開放絞り（Ｆ２．４）（Ａｖ値＝２．５）で固定されている。これにより、絞り孔の切替え時に生じる動画に不自然な変化がなく、また絞り装置に対する消費電力も抑えることができる。
【００２３】
一方、レリーズボタン１６が操作されると、絞り装置の制御も行われる。即ち、絞り装置は、図４の実線に示すようにＥｖ値が１１．５以下の場合には、開放絞り（Ｆ２．４）（Ａｖ値＝２．５）に切り替えられ、Ｅｖ値が１１．５を越えると、小絞り（Ｆ６．７）（Ａｖ＝５．５）に切り替えられる。
尚、ストボロ発光時（強制発光を含む）は、常に開放絞り側に切り替える。但し、マクロストロボ時は、常に小絞り側に切り替える。また、レリーズボタン１６の操作と、ＡＦ、ＡＥ制御のタイミングは、次表の通りであるが、これに限らず、スイッチＳ１、Ｓ２のいずれがＯＮされた時でもよい。
【００２４】
【表１】
0004412746.tif 000002
次に、動画モニタ時にＡＥシーケンスについて説明する。
【００２５】
図５のタイミングチャートにおいて、VDは垂直同期信号、FLD は奇数フィールドと偶数フィールドを示す信号、Cam-idは、マイコンプログラム内で同期をとるためのカンウタ値であり、０〜３までを繰り返しカウントする。
Cam-idが０、１の時には、積算１、２を実行する。積算１、２は、それぞれ輝度信号の１フィールド分の積算等によって現在の露出量を求めるとともに、ＣＣＤの基準露出量からのずれ量を求め、このずれ量を修正すべくシャッタ速度を求める露出計算を行う。Cam-idが２の時に上記のようにして求めたシャッタ速度によって露出制御する。尚、絞り装置は、前述したように開放絞り（Ａｖ値＝２．５）で固定である。
【００２６】
そして、Cam-idのカウント値（０〜３）に応じて上記動作を繰り返し実行する。従って、動画の絞り制御は、４フィールド毎に繰り返し行われる。
次に、静止画記録（動画モニターＯＦＦ）時のＡＥシーケンスについて説明する。
図６のタイミングチャートに示すように、スイッチＳ１がＯＮされると、撮像回路系に電源が供給される。続いて、上記と同様にCam-idのカウント値（０〜３）に応じて露出制御するが、まず、図７に示すように開放絞りとし、シャッタ速度を1/250sec（Ｔｖ＝８）にして輝度信号を取り込み、現在の露出量を求め、ＣＣＤの基準露出量からのずれ量を求める。そして、ずれ量が、±２Ｅｖの範囲の場合には、絞りを切り替えずに、露出オーバー又はアンダーに応じてシャッタ速度を制御する。次に、このようにして露出制御した状態で、再び輝度信号を取り込み、現在の露出量とＣＣＤの基準露出量とのずれ量を求め、そのずれ量に応じてシャッタ速度を制御する。この再測光を３回繰り返し、ＡＥロックする。
【００２７】
一方、初期測定した露出量が基準露出量よりも２Ｅｖ以上大きい場合には、絞りを小絞り（Ａｖ＝５．５）に切り替え、再びシャッタ速度を1/250sec（Ｔｖ＝８）にして輝度信号を取り込み、その露出量と基準露出量とのずれ量を求める。そして、上記と同様に再測光を繰り返したのち、ＡＥロックする。また、初期測定した露出量が基準露出量よりも２Ｅｖ以上小さい場合には、シャッタ速度を1/60sec （Ｔｖ＝６）よりも遅くして輝度信号を取り込み、その露出量と基準露出量とのずれ量を求める。そして、上記と同様に再測光を繰り返したのち、ＡＥロックする。
【００２８】
上記のようにスイッチＳ１のＯＮによってＡＥロックされたのち、スイッチＳ２がＯＮされると、Cam-idのカウント値が０又は２のときのそのスイッチＳ２のトガー信号が受入され、６フィールド後に録画用の露光がなされ、８フィールド後に録画用の読み出しが行われる。
尚、この実施の形態の絞り装置は、開放絞りと小絞りの２段階に絞りを切り換えるものであるが、これに限らず、３段階以上に絞りを切り替えるものや、絞り径を連続的に変化させる虹彩絞りでもよい。
【００２９】
【発明の効果】
以上説明したように本発明によれば、モニタで動画の被写体像を表示する際には、絞りを固定するようにしたため、絞りの切替えによる不自然な輝度変化がなく、絞り装置が停止しているため消費電力を抑えることができる。一方、レリーズボタンが操作されると、絞り手段を適正絞り値に制御するとともに電子シャッタを制御するようにしたため、スミアなどのない良好な画像を記録することができる。
【図面の簡単な説明】
【図１】図１は本発明に係る電子スチルカメラの実施の形態を示す斜視図である。
【図２】図２は図１に示した電子スチルカメラの内部構造を示すブロック図である。
【図３】図３は測光エリアを示す図である。
【図４】図４は本発明に係る露出制御方法を示すＡＥプログラム線図である。
【図５】図５は動画モニタ時のＡＥシーケンスを示すタイミングチャートである。
【図６】図６は静止画記録時のＡＥシーケンスを示すタイミングチャートである。
【図７】図７は静止画記録時の開放絞り及び小絞りの初期測定領域を示す図である。
【符号の説明】
１４…メモリカード（スマートメディア）
１６…レリーズボタン
２４…パワースイッチ
２８…液晶モニタ
３２…撮影レンズ
３４…光学ビューファインダ
４２…固体撮像素子（ＣＣＤ）
５２…デジタル信号処理回路
５３…圧縮／伸長回路
５４…フレームメモリ
５６…マイコン
５８…ＡＦ評価回路
６１…ＡＦ駆動回路
７０…記録メディア／ＬＣＤ制御部
７４…ＬＣＤ駆動回路
８０…スロトボ装置
８５…スイッチ部
【図１】
0004412746.tif 000003
【図２】
0004412746.tif 000004
【図３】
0004412746.tif 000005
【図４】
0004412746.tif 000006
【図５】
0004412746.tif 000007
【図６】
0004412746.tif 000008
【図７】
0004412746.tif 000009